(57)【特許請求の範囲】
【請求項１】
床面に起立姿勢で配置される支柱本体と、該支柱本体に装着されるカバーとを具備してなり、支柱本体とそれに装着したカバーとの間に、支柱本体の長手方向に沿って延び相互に仕切られた複数の空間を形成している支柱であって、
支柱本体が、床面に起立姿勢で配置され支柱本体の中核となる中心体と、該中心体から外方に向けて突出するとともに中心体に沿って上下に延びカバー取付部を形成した複数のアームとを具備してなり、隣接するアームのカバー取付部同士に関係付けてそれぞれ前記カバーを着脱可能に装着し得るように構成し、
アームの先端部にカバー取付部を形成するとともに、該カバー取付部よりも内側における支柱本体の一部に補助カバー取付部を形成し、該補助カバー取付部に装着される上下に延びる補助カバーによって、中心体と一対のアームとカバーとで包囲される空間を更に仕切り得るようにしていることを特徴とする支柱。
【請求項２】
カバーが弾性変形可能な素材からなるものであり、その弾性変形を利用してカバーを支柱本体に着脱するようにしていることを特徴とする請求項１記載の支柱。
【請求項３】
前記補助カバー取付部を、各アームの基端部側に形成し、隣接するアームの補助カバー取付部同士に関連付けて補助カバーを着脱可能に装着し得るようにしていることを特徴とする請求項１又は２記載の支柱。
【請求項４】
カバーを装着した状態で、隣接するカバー同士の間におけるアームの一部にオプション部材取付部を形成していることを特徴とする請求項１、２又は３記載の支柱。
【請求項５】
オプション部材取付部が、上下に連続して延び外方に向けて開口するようにアームの先端部に形成した連続溝を具備していることを特徴とする請求項４記載の支柱。
【請求項６】
前記連続溝がその開口縁部よりも内部の方が幅寸法の広い形状を有し、連続溝の開口縁部を起立姿勢で通過させて位置付けた内部で水平軸周りに一方向へ回転させることによって開口縁部からの抜け出しが規制されるナット部材に対して前記オプション部材を該オプション部材側からネジ止めにより取り付け得るように構成していることを特徴とする請求項５記載の支柱。
【請求項７】
中心体の周囲に、それぞれ同一形状をなす前記複数のアームを等間隔で突出させていることを特徴とする請求項１、２、３、４、５又は６記載の支柱。
【発明の詳細な説明】
【０００１】
【発明の属する技術分野】
本発明は、配線空間等として利用することができ、またオプション部材を取り付けることもできる支柱に関するものである。
【０００２】
【従来の技術】
近年のＯＡ化の推進に伴って、オフィス内には多くの配線が溢れかえるようになっている。特に床下から立ち上げた配線や、天井から室内に引き下ろした配線の引き回しは、オフィス空間に見苦しい形で露出しがちであり、配線が通路を横断していたり天井からぶら下がっているとオフィスの機能低下や不慮の事故の原因ともなりかねない。
【０００３】
一方、最近では、オフィスの床面に起立させた複数の支柱に横架材を支持させて、パネルや収納棚、天板等のオプション部材を配置することで特定の作業空間を形成するようにしたものが知られてきている。このような構成の作業空間は、オフィスレイアウトをフレキシブルに行い得ることで注目されているが、作業空間を構築する支柱に配線案内機能を持たせることによって、配線を露出させないすっきりとしたオフィス空間を形成することも考えられている。
【０００４】
その他にも、例えばデスクにはコンピュータや照明器具等、特に多くの配線を要する設備が配置されることから、デスクの天板を支持する脚支柱の内部に床下から立ち上げた配線を案内させるようにしたものも考えられている。
【０００５】
このような構成の支柱や脚支柱では、その内部を上下に連通して延びる一つの空洞として、その空洞を配線案内路として利用したり、支柱（脚支柱を含む）を支柱本体とその一縁部に沿って装着されるカバーとから構成し、支柱本体とカバーとの間に配線案内路となる空間を形成するようにしたものが一般的である。
【０００６】
【発明が解決しようとする課題】
ところが、ＯＡ機器や照明器具等の電力線、社内ＬＡＮ等の通信線、ＯＡ機器同士の接続ケーブルなど、他種類の配線が混在して同時に使用される昨今の事情を考慮すると、上述のように配線案内路を一つしか備えていない構成の支柱や脚支柱であると配線を種類や目的ごとに分類することが困難であるため、一見しただけではどれが何の配線であるのか判断することが難しい。また、支柱内部に形成した配線案内路に配線を通したりその配線を取り出したりするには、支柱を持ち上げたり傾けたりする必要が生じるため、作業が大がかりとなり極めて煩雑である。
【０００７】
以上のような問題を解消するために本発明は、床下や天井から引き出した配線類を分類して収容し得る有用な配線案内機能を付与することを主たる目的とした支柱を提供するものである。
【０００８】
【課題を解決するための手段】
すなわち、本発明の支柱は、床面に起立姿勢で配置される支柱本体と、該支柱本体に装着されるカバーとを具備してなり、支柱本体とそれに装着したカバーとの間に、支柱本体の長手方向に沿って延び相互に仕切られた複数の空間を形成している支柱であって、支柱本体が、床面に起立姿勢で配置され支柱本体の中核となる中心体と、該中心体から外方に向けて突出するとともに中心体に沿って上下に延びカバー取付部を形成した複数のアームとを具備してなり、隣接するアームのカバー取付部同士に関係付けてそれぞれ前記カバーを着脱可能に装着し得るように構成し、アームの先端部にカバー取付部を形成するとともに、該カバー取付部よりも内側における支柱本体の一部に補助カバー取付部を形成し、該補助カバー取付部に装着される上下に延びる補助カバーによって、中心体と一対のアームとカバーとで包囲される空間を更に仕切り得るようにしていることを特徴としている。
【０００９】
支柱としては、横架材等を支持して所定の作業空間を形成する構造物の支柱、デスクやテーブルの脚支柱、パーティションパネル等を支持する支柱など、種々の支柱一般に適用することができるが、上記のような構成の支柱であれば、支柱本体とカバーとの間において相互に仕切られた複数の空間をそれぞれ配線案内路として利用することができるため、少なくとも床下から引き出して立ち上げられる電力線や通信線等の複数種ある配線類を好適に分類して収容しておくことができ、それらをカバーによって隠蔽することで外部から隠すことができるようになる。その結果、オフィス等の室内空間をすっきりとさせることができ、作業効率の向上や事故の防止を有効に図ることもできる。また、支柱が、その上端部が天井付近まで届くようなものであれば、天井から引き出した配線類も分類して収容することができるようになる。
【００１０】
また、支柱本体が、床面に起立姿勢で配置され支柱本体の中核となる中心体と、該中心体から外方に向けて突出するとともに中心体に沿って上下に延びカバー取付部を形成した複数のアームとを具備してなり、隣接するアームのカバー取付部同士に関係付けてそれぞれカバーを着脱可能に装着し得るように構成しているので、簡素な構造で支柱を形成し、その支柱の構成を利用して配線案内路として利用可能な空間を容易且つ良好に仕切り得るようにすることができる。
【００１１】
その上、アームの先端部にカバー取付部を形成するとともに、カバー取付部よりも内側における支柱本体の一部に補助カバー取付部を形成し、補助カバー取付部に装着される上下に延びる補助カバーによって、中心体と一対のアームとカバーとで包囲される空間を更に仕切り得るように構成しているので、前記各空間内に更に多種類の配線を分類して案内できる。
【００１２】
さらに、カバーの支柱本体に対する着脱を容易なものとするためには、カバーを弾性変形可能な素材からなるものとして、その弾性変形を利用して着脱するようにすることが有効である。
【００１３】
好適な補助カバー取付部の具体例としては、各アームの基端部側に形成し、隣接するアームの補助カバー取付部同士に関連付けて補助カバーを着脱可能に装着し得るようにしたものが挙げられる。
【００１４】
一方、このような支柱に、天板、棚、パネル、照明器具等のオプション部材を取り付けて、会議室やグループあるいは個人用のスペースとしてフレキシブルなオフィス空間を形成し得るようにするためには、カバーを装着した状態で、隣接するカバー同士の間におけるアームの一部にオプション部材取付部を形成することが有効である。このようにすることで、支柱に形成した空間内の配線類に影響を与えることなくオプション部材を取り付けることができるようになる。
【００１５】
このような場合、オプション部材の取付高さ位置を自由に変更できるようにするためには、オプション部材取付部が、上下に連続して延び外方に向けて開口するようにアームの先端部に形成した連続溝を備えるようにすることが望ましい。
【００１６】
さらにこのような連続溝に対応して、簡単にオプション部材を取り付けられる好適な具体的構成としては、連続溝がその開口縁部よりも内部の方が幅寸法の広い形状を有し、連続溝の開口縁部を起立姿勢で通過させて位置付けた内部で水平軸周りに一方向へ回転させることによって開口縁部からの抜け出しが規制されるナット部材に対して前記オプション部材を該オプション部材側からネジ止めにより取り付け得るようにしたものが挙げられる。
【００１７】
以上のような構成の支柱を、鉛直軸周りの方向を問わずに配置し得るようにして、施工の簡便化を図り得る具体例には、中心体の周囲に、それぞれ同一形状をなす前記複数のアームを等間隔で突出させた構成のものが挙げられる。
【００１８】
【発明の実施の形態】
以下、本発明の一実施形態を、図面を参照して説明する。
【００１９】
図１は、本実施形態の支柱２を床面Ｆに複数起立状態で配置するとともに、隣接する支柱２の上端部間に横架材８を支持させて形成した構造体１によって、オフィス空間に所定の作業空間、いわゆる作業空間モジュールを形成したものを示している。支柱２には、オプション部材として棚用の円形天板１０を取り付けられるようにしているが、オプション部材にはその他にもデスク用の天板１０ｘや照明器具１０ｙ等も取り付け得ることができる。
【００２０】
次に、支柱２の具体的構成について説明する。
【００２１】
この支柱２は、図２及び図８に示すように、アルミ押し出し成形材を所定の長手寸法に切断することによって長手方向に沿って各部等断面形状をなすようにした支柱本体３と、その支柱本体３に着脱可能に装着されるカバー６とからなるものである。また、支柱２には前記カバー６の他に図８に示すような補助カバー７も着脱可能に装着できるようにしている。
【００２２】
支柱本体３は、その中核部分をなし中心に位置付けられる中心体４と、中心体４から四方に延ばした四本のアーム５とを一体成形したものである。中心体４は、平断面視概略正方形の角筒状をなすもので、支柱本体３に対応する長手寸法を有している。アーム５は、いずれも同一形状を有し中心体４と同一の長手寸法を有しており、それぞれ中心体４の四つの起立壁４１における外向面がなす各四隅をそれぞれ基端として中心体４の平断面形状である正方形の対角線に沿って外方に向けて延びる平板状のアーム本体５１と、アーム本体５１の先端部を二股に分岐させたカバー取付部５２と、アーム本体５１の基端部において外方に向けて相互に約９０°をなして開くように突出させた突状をなす一対の補助カバー取付部５３とを備えている。カバー取付部５２は、アーム本体５１の先端から平面視クランク状をなして複数箇所で屈曲させた第１の起立壁５２１と、第１の起立壁５２１の基端部から中心体４の一起立壁４１と略平行するように延ばした第２の起立壁５２２と、第２の起立壁５２２の先端部をさらに中心体４の起立壁４１に向けて略９０°屈曲させた第３の起立壁５２３とから構成される。第３の起立壁５２３の先端部はさらに平面視「く」の字形に屈曲させて、上下に延びる凹部５２３ａを形成している。また、前記第１の起立壁５２１には、同一のアーム本体５１から突出する他方のカバー取付部５２における第１の起立壁５２１と相寄る方向に突出する板状の突出壁５２４を形成して、これら突出壁５２４と二つの第１の起立壁５２１とによって囲まれる空間に平面視矩形状をなして上下に延びる連続溝５４を形成している。この連続溝５４は、前記一対の突出壁５２４の先端間を通じて外部に開放されているため、その開口縁部５４ａよりも内部の方が広がった形状となっている。また、連続溝５４よりもさらにアーム本体５１側の部位は、アーム本体５１の先端と一対の第１の起立壁５２１の基端部とによって平面視コ字形に囲まれ連続溝５４に対して開放されて上下に延びる溝部５５を形成している。そして、これら突出壁５２３、連続溝５４及び溝部５５によって、オプション部材取付部Ｘを構成している。なお、この支柱本体３は、図示しないが下端部において中心体４の中央部に挿入した固定ナットに床面Ｆ側から突出させたボルトを止着することにより床面Ｆに固定している。
【００２３】
カバー６は、アーム５の一方の第２の起立壁５２２の基端部からそれに隣接するアーム５の第２の起立壁５２２までの幅寸法を有し支柱本体３よりも若干短い高さ寸法を有するカバー本体６１と、カバー本体６１の後向面から前記中心体４に向けて突出させた一対の突出壁６２とを一体に成形した弾性変形可能な合成樹脂製の部材である。カバー本体６１は、外側に向けて凸となるように若干湾曲させており、両側端部を斜め後方に向けて内側へ屈曲させて爪部６１ａを形成し、この爪部６１ａをアーム５の第１の起立壁５２１の先端部ないしは第２の起立壁５２２の基端部に係り合わせるようにしている。また、突出壁６２は、隣接するアーム５の第３の起立壁５２３同士の対向面に沿ってそれぞれ延びるもので、それらの先端部もそれぞれ外側方に向けて屈曲させて爪部６２ａを形成しており、この爪部６２ａをそれぞれ前記第３の起立壁５２３の凹部５２３ａに係り合わせるようにしている。そして、隣接する爪部６１ａと爪部６２ａとの間にアーム５のカバー取付部５２をそれぞれ挟み込むように素材の弾性を利用してカバー本体６１を扁平に弾性変形させてカバー６を装着すると、中心体４の一起立壁４１と隣接する一対のアーム５とカバー６との間にそれぞれ上下に延びる四つの空間Ｓが形成されることになる。このとき各アーム本体５１は、隣接する空間Ｓ同士を仕切る隔壁として機能している。なお、カバー本体６１の爪部６１ａと突出壁６２との間には、カバー６を支柱本体３に装着した状態でアーム５の第２の起立壁５２２の前面に前方から突き当たるように後方に向けて突出させた複数のリブ６３を設けており、カバー６の装着時における安定化を図っている。また、床面Ｆにおける支柱２を配置すべき個所には図示しないが配線引き出し用の穴を開けて、その穴と支柱２の空間Ｓとを連通させるようにしている。
【００２４】
補助カバー７は、図８に示すように、平断面コ字形をなし前記空間Ｓ内において中心体４に沿って延びるもので、両側端部を隣接するアーム５の補助カバー取付部５３に対して外側方から抱くようにして着脱可能に装着されるもので、装着した状態で空間Ｓを更に仕切る隔壁として機能するとともに、この補助カバー７と一対の補助カバー取付部５３と中心体４の起立壁４１との間に補助空間Ｔを形成している。
【００２５】
このような構成の支柱２に支持される横架材８は、図３に示すように両側端部を開口させたチャネル材であり、隣接する支柱２の上端部にそれぞれ取り付けた連結部材９を介して両支柱２に支持されている。連結部材９は、支柱２の上端部に取り付けた図示しないアジャスタ部材に対して上下移動させた任意の位置で固定できるようになっており、隣接する支柱２同士の間で各連結部材９を上下動作させることで横架材８を水平に保つようにしている。そのために、連結部材９には隣接する支柱２に向けて突出する突起部９１を形成しており、これら突起部９１に横架材８を上方から落とし込んで載せるようにしている。また、横架材８の上面には、配線類を載せられるように長手方向に延びる案内溝８１を形成している。そして、支柱２に形成された空間Ｓを、天井付近の空間や横架材８の内部又は案内溝８１に連通させるように、連結部材９にはそれぞれ開口窓９２、９３を形成している。なお、外部から連結部材９等を隠すため、支柱２の上端部には図１に示すようなコーナーカバー１３を被せている。
【００２６】
次に、支柱２の中間高さ位置において、オプション部材取付部Ｘに図１に示す円形天板１０をオプション部材として取り付ける場合について、図４〜図７を参照して説明する。
【００２７】
この円形天板１０は、支柱２を中心部に挿通させた平面視ドーナツ形をなすもので、その形状を直径方向に均等に二分割した形状の一対の天板要素１０ａ、１０ｂを接合してなるものである。各天板要素１０ａ、１０ｂは、オプション部材取付部Ｘにおける連続溝５４に位置付けたナット部材１２にボルトＢによって固定される取付部材１１によって支持されている。取付部材１１は、支柱２の隣接するカバー６の側端部間距離よりも若干小さい幅寸法を有する起立板１１１と、この起立板１１１からＶ字形に広がって斜め上方に延びる二つの支持桿１１２、１１３と、各支持桿１１２、１１３の上端部に略水平な姿勢で取り付けられ天板要素１０ａ、１０ｂを下方から支持する水平板１１４とからなる。起立板１１１には上端部及び下端部にそれぞれボルトＢを厚み方向に挿通し得る貫通孔１１１ａを形成している。支持桿１１２、１１３は起立板１１１に支持される基端部の高さ位置を相互に異ならせるとともに、水平板１１４を前端部側、後端部側でそれぞれ支持するようにしている。水平板１１４は、平面視台形状をなすもので、下方から天板要素１０ａ、１０ｂにネジ止めするようにしている。このような取付部材１１を支柱２の四つのオプション部材取付部Ｘにそれぞれ配置して、隣接する二つの取付部材１１によって一つの天板要素１０ａ、１０ｂをそれぞれ支持するようにしている。
【００２８】
一方、ナット部材１２は、前記連続溝５４の開口縁部５４ａよりも若干小さい幅寸法と、連続溝５４の内部における幅寸法に略等しい高さ寸法と、連続溝５４の奥行き寸法に略等しい厚み寸法を有し、中央部に前記ボルトＢの先端部を止着し得るネジ孔１２ａを形成した板状の部材であって、正面視した場合長方形の一対角部分を斜めに切除したような扁平な六角形状をなしている。そして、図７に示すように、このナット部材１２を長手方向を上下方向に一致させた姿勢で連続溝５４の開口縁部５４ａを通過させて連続溝５４内に位置付け、その位置で同図に矢印ａ方向で示すように時計回りに回転させて姿勢を水平軸周りに９０°変更した状態にして、前記取付部材１１の起立板１１１の貫通孔１１１ａに挿入したボルトＢをナット部材１２のネジ孔１２ａに止着するようにしている。この状態で、ナット部材１２と起立板１１１との間に突出壁５２４を共締めにして挟み込んでいる。なお、ここでは一つの起立板１１１に対してナット部材１２を二個使用している。また、ボルトＢの先端部Ｂａは連続溝５４の奥方の溝部５５内に逃がすようにしている。さらに、ボルトＢの頭部と起立板１１１との間には、リング状の座金Ｗを配置している。
【００２９】
以上のように、本実施形態の支柱２は、支柱本体３とそれに装着したカバー６との間に、上下に延び相互に仕切られた複数の空間Ｓを形成しているので、図８に想像線で示すように、床面Ｆから立ち上げたり天井から引き下ろした電力線や通信線等の種々の配線類Ｈをそれら各空間Ｓに分類して通すことができ、各空間Ｓを好適な配線案内路として利用することが可能である。特に本実施形態の支柱２は、横架材８等と共にオフィス内の作業空間を形成する構造物１に適用しているため、特に多くの配線類Ｈを使用することが予想されるが、このような支柱２によって配線類Ｈを分類して案内しそれらをカバー６によって隠蔽することで、オフィス空間をすっきりとしたものとすることができ、作業効率の向上や事故の防止を有効に図ることが可能である。また、支柱２に案内させた配線類Ｈを横架材８にも案内させて、他の支柱２へと引き回すことも可能である。
【００３０】
また、カバー６は支柱本体３に着脱できるため、支柱本体３の設置後でもカバー６を取り外せば前記空間Ｓに収容された配線類Ｈが露出されることになり、容易に配線作業やメンテナンスを行うことができる。さらにこのカバー６は、合成樹脂製の弾性変形可能な素材からなるものであるので、その弾性変形を利用すれば容易に支柱本体３に着脱することができ、また装着後は簡単には脱落しないようにすることもできる。
【００３１】
支柱本体３の具体的構成は、その中核となる中心体４と、中心体４から外方に向けて突出する四つのアーム５とから構成したものであり、アーム５にカバー取付部５２を形成して、隣接するアーム５のカバー取付部５２同士にカバー６を装着するようにしているため、簡単な構成の支柱本体３にカバー６を容易に装着することができ、また支柱本体３とカバー６との間に好適な空間Ｓを形成しつつアーム本体５１に隣接する空間Ｓ同士を仕切る隔壁としての機能を付与することが容易である。
【００３２】
より具体的には、前記カバー取付部５２は上述のように隔壁として機能するアーム本体５１の先端部に形成したものであり、そのアーム本体５１の基端部に補助カバー取付部５３を形成しているので、補助カバー取付部５３に上下に延びる補助カバー７を装着すれば、前記空間Ｓを補助カバー７によって更に仕切り、図８に示すように、補助カバー７と中心体４との間にも補助空間Ｔとして更に多種類の配線類Ｈを好適に分類して案内させることができる。
【００３３】
一方、隣接するアーム５同士の間に露出されるアーム５の先端部には、カバー６を装着した状態で前記円形天板１０等のオプション部材を取り付け得るオプション部材取付部Ｘを形成しているので、支柱２の配線案内機能には影響を与えることなく、しかもその都度カバー６を取り外すこともなく円形天板１０等を支柱２に取り付けて、極めて使い勝手のよいオフィス空間を容易に構築できる。
【００３４】
さらに、このオプション部材取付部Ｘは、外方に向けて開口し上下に延びる連続溝５４を備えているため、その連続溝５４に対して自由な高さ位置に円形天板１０等を取り付けられることになり、オフィス空間のレイアウトの変更も容易である。そして、連続溝５４を開口縁部５４ａよりも内部の幅寸法の方を広げて、その開口片部５４ａを通過させたナット部材１２を連続溝５４の内部で水平軸周りに一方向へ回転させることによって開口縁部５４ａから抜け出ないようにした上で、ナット部材１２に円形天板１０等のオプション部材をボルトＢで止着するようにしているため、支柱２に対する自由な高さ位置で円形天板１０等を極めて簡単且つ安定的に取り付けることが可能である。
【００３５】
さらに支柱本体３は、中心体４の周囲に同一形状の四つのアーム５を等間隔で突出させているので、支柱２を鉛直軸周りの方向を問わずに配置することができ、また支柱２の周囲にいずれも同じ状態で横架材８や円形天板１０等を支持させることができるようになり、施工作業の簡便化や部材の共通化を図ることが可能である。
【００３６】
なお、本発明は上記実施例に限られず、例えばオプション部材として前記円形天板１０の他に、図１に示すようなデスク用の天板１０ｘや照明器具１０ｙ等、種々のものを円形天板１０と同様の構成によって取り付けることができる。また、カバー本体６１の内向面に図８に想像線で示すようなコンセント１４を取り付ける場合には、そのコンセント１４の差込口を露出するようにカバー本体６１の一部を切り欠いて開口を設ければよい。
【００３７】
さらに、本発明の支柱は、デスクの天板を支持する脚支柱やパーティションパネルの支柱等、いわゆる支柱一般に適用することができるものである。
【００３８】
その他、支柱本体やカバーの形状や構成等、各部の具体的構成についても上記実施形態に限られるものではなく、本発明の趣旨を逸脱しない範囲で種々変形が可能である。
【００３９】
【発明の効果】
本発明は、以上説明したような形態で実施され、以下に記載されるような効果を奏する。
【００４０】
すなわち、本発明の支柱は、床面に起立姿勢で配置される支柱本体と、該支柱本体に装着されるカバーとの間に、支柱本体の長手方向に沿って延び相互に仕切られた複数の空間を形成し、それら空間を配線案内路として利用し得るようにしている。このため、支柱として横架材等を支持して所定の作業空間を形成する構造物の支柱やデスクやテーブルの脚支柱等として適用すれば、少なくとも床下から引き出して立ち上げられる電力線や通信線等の種々の配線類を好適に分類して収容しカバーによって隠蔽した状態にして、オフィス等の室内空間をすっきりとさせることができ、さらには作業効率の向上や事故の防止を有効に図ることが可能である。さらに、支柱が、床面から天井付近まで延びるものであれば、同様に天井から引き出した配線類も分類して収容することができる。
具体的には、支柱本体を、その中核となる中心体と、中心体から外方に向けて突出して上下に延びる複数のアームとから構成し、そのアームにカバー取付部を形成して、隣接するアームのカバー取付部同士に関係付けてそれぞれカバーを装着するようにしているので、支柱の構造を簡素化できるだけでなく、アームを、中心体とカバーとの間に形成される隣接する空間の隔壁として利用して、配線類の分類を容易に行うことが可能である。
さらに、アームの先端部にカバー取付部を形成し、そのカバー取付部よりも内側における支柱本体のいずれかの部位に補助カバー取付部を形成して、補助カバー取付部に上下に延びる補助カバーを装着し得るようにしているので、中心体と隣接する一対のアームとカバーとで包囲される空間を補助カバーによって更に仕切ることによって、より多種類の配線を使用している場合でもそれらを好適に分類して案内させることができる。
【００４１】
特に、カバーを合成樹脂等の弾性変形可能な素材から形成して、その弾性変形を利用して支柱本体に着脱するようにすれば、カバーの着脱を容易にして支柱本体から容易には脱落しにくいようにすることもできる。
【００４３】
特に、補助カバー取付部を各アームの基端部側に形成し、隣接するアームの補助カバー取付部同士に関連付けて補助カバーを着脱可能に装着し得るようにしていれば、中心体には構造上の変更を加えることなく、補助カバーを良好に装着することが可能である。
【００４４】
一方、隣接するアーム同士の間にカバーを装着した状態で、隣接するカバー間におけるアームの一部にオプション部材取付部を形成している場合、支柱に形成した空間内の配線類に影響を与えることなくオプション部材を取り付けることができるので、オプション部材として例えば天板や棚等を適用すれば、非常に使い勝手のよいオフィス空間を容易に形成することができる。
【００４５】
さらに、オプション部材取付部に、アームの先端部に上下に連続して延び外方に向けて開口する連続溝を設けていれば、その連続溝の高さ位置を問わずにオプション部材を取り付けられるため、オフィス空間のレイアウトの自由度を向上することができる。そして、連続溝の開口縁部よりも内部の方が幅寸法の広い形状を有するものとして、ナット部材を連続溝の開口縁部を起立姿勢で通過させて連続溝の内部で水平軸周りに一方向へ回転させることによって開口縁部から抜け出ないようにして、その状態のナット部材にオプション部材をネジ止めにより取り付けるようにすれば、オプション部材を支柱に対する自由な高さ位置で、極めて簡単に取り付けることができる。
【００４６】
以上のような構成の支柱の具体的形状として、中心体の周囲に、それぞれ同一形状をなす複数のアームを等間隔で突出させていると、鉛直軸周りにはいずれの方向を向けても支柱を同じ状態で配置することができるため、施工を極めて簡便にすることが可能である。
【図面の簡単な説明】
【図１】本発明の一実施形態を適用したオフィス空間の概観を示す斜視図。
【図２】同実施形態の上端部近傍を一部分解して示す斜視図。
【図３】同実施形態に横架材を支持させた状態を一部省略して示す斜視図。
【図４】同実施形態に天板を取り付けた状態を示す部分的な正面図。
【図５】図４におけるＡ−Ａ線断面図。
【図６】図５の一部を拡大して示す断面図。
【図７】同天板の取付状態を示す分解斜視図。
【図８】同実施形態に補助カバー、コンセントを取り付けた状態を示す概略的断面図。
【符号の説明】
２…支柱
３…支柱本体
４…中心体
５…アーム
６…カバー
７…補助カバー
１０…オプション部材（円形天板）
１２…ナット部材
５２…カバー取付部
５３…補助カバー取付部
５４…連続溝
Ｘ…オプション部材取付部
【図１】
0004693255.tif 000002
【図２】
0004693255.tif 000003
【図３】
0004693255.tif 000004
【図４】
0004693255.tif 000005
【図５】
0004693255.tif 000006
【図６】
0004693255.tif 000007
【図７】
0004693255.tif 000008
【図８】
0004693255.tif 000009